(57)【要約】【課題】  カメラの内蔵ストロボの収納状態において、左右の隙間を均等に小さくすることが目的である。【解決手段】  係止位置では、係止機構により隙間なく収納される内蔵ストロボ装置において、係止機構によるストロボの引き込み位置を、バネ付勢位置に対して内側（発光中心側）にレイアウトすることにより、バネ付勢位置を逆側の隙間を小さくすることを可能とした。【選択図】  図１
2006023646.tif 000002
【特許請求の範囲】
【請求項１】
カメラ本体と、該カメラ本体に軸部により回転可能に取り付けられたストロボ装置と、該ストロボ装置を収納位置から使用位置に移動させる方向に付勢する付勢部材と、収納時に前記ストロボ装置を付勢部材の付勢力に抗してより強い力で係止し収納状態を維持する係止部材とを備えたストロボ内蔵カメラにおいて、
前記付勢部材の付勢位置が、前記係止部材の係止位置より、前記軸部の軸方向に関して、前記ストロボ装置の中心に対して、外側に配置されていることを特徴とするストロボ内蔵カメラ。
【請求項２】
前記ストロボ装置を前面から見て、前記付勢部材の付勢位置と前記係止部材が略重なり合うように隣接した位置にあることを特徴とする請求項１に記載のストロボ内蔵カメラ。
【発明の詳細な説明】
【技術分野】
【０００１】
本発明は、カメラ本体に対して突出及び収納可能なストロボを有するカメラに関するものである。
【背景技術】
【０００２】
従来より、通常はカメラに内蔵または密着する待機位置に位置し、使用時にのみカメラ外部に突出または起き上がった詫使用位置に移動して使用されるストロボ装置は公知である（特許文献１参照）。
【０００３】
上記技術では、ストロボを突出方向に付勢するバネを設けるとともに、カメラ本体に設けられた係合爪が係脱可能な係止部材をストロボに取り付け、この係合爪と係止部材との係合によってストロボを格納位置に保持（ストロボの突出方向への移動を阻止）できるように構成されている。
【０００４】
また、係止部材をストロボに対して移動させることにより、係合爪と係止部材との係合時におけるストロボのカメラ本体に対する位置を調整できるようにした位置調整機構が提案されている（特許文献２、３参照）。
【特許文献１】特開平０４−０８１８３０号公報
【特許文献２】特開平０７−０３６０９５号公報
【特許文献３】特開平１０−０３９３７４号公報
【発明の開示】
【発明が解決しようとする課題】
【０００５】
上記特許文献に示す係止部材の位置調整機構を含めた係止位置は、ストロボの突出方向に付勢するバネの付勢位置に近い方が望ましい。これは、付勢位置が最も隙間が大きくなりうる部位となることに起因する。しかし、この係止部材と係合爪との係合関係は、それぞれの部品寸法公差、剛性不足、それぞれの取付面の位置誤差等によってかなりのばらつきが生ずることは一般に避け難い。このためにこれらの部品を組み立てた製品においては外装部材とカメラ本体との隙間が左右で一定せず、位置調整機構から離れた部位では大きな隙間が出来てしまうこともある。これを解決するためには、左右両方に、係止機構を設け位置調整を行う必要があり、部品点数の増加、作業にたいへん時間と手間がかかるために生産性の低下、ひいては、製品の大幅なコストアップが避けられないという問題を招いてしまう。
【０００６】
また、引き込みタイプの係止機構を採用したストロボ装置の場合、係止機構近傍のカメラ本体との隙間がなくなる反面、係止機構から離れた位置で隙間が発生すると、隙間が不均一になり、カメラの外観品位を下げてしまう。
【０００７】
そこで、本発明は、このような従来の問題点に鑑み、部品点数の増加や生産性の低下を招かずに、左右の隙間が小さく、均一となる係止機構の構成を提供することを目的としたものである。
【課題を解決するための手段】
【０００８】
本発明は、カメラ本体と、該カメラ本体に軸部により回転可能に取り付けられたストロボ装置と、該ストロボ装置を収納位置から使用位置に移動させる方向に付勢する付勢部材と、収納時に前記ストロボ装置を付勢部材の付勢力に抗してより強い力で係止し収納状態を維持する係止部材とを備えたストロボ内蔵カメラにおいて、
前記付勢部材の付勢位置が、前記係止部材の係止位置より、前記軸部の軸方向に関して、前記ストロボ装置の中心に対して、外側に配置されていることを特徴とするものである。
【発明の効果】
【０００９】
本発明では、ストロボの付勢部材の付勢位置を係止部材の係止位置に対して発光中心に対して外側に配置することにより、係止位置近傍のみならず全体的に、隙間が小さく、均一であるストロボ装置を提供することが出来る。
【００１０】
また、位置調整機構を用いずに、全体の隙間を管理することが可能であるため、部品点数の増加や生産性の低下を招かず、経年変化によって隙間の量が変化しにくいストロボ装置を提供することが出来る。
【発明を実施するための最良の形態】
【００１１】
図１は、本発明のストロボ装置をカメラ本体に組み付けた状態を示す図（正面図、上面図、断面図）である。
【００１２】
図１において、１はストロボ装置の全体を示し、一端側において、軸部２を中心に、第１位置である待機位置と第２位置である使用位置との間を回動可能にカメラ本体３の固定部に軸支され、この回動により２位置間で姿勢切り替えできるようになっている。また、このストロボ装置には、ストロボ装置１とカメラ本体３の間に付勢部材たるバネ４が設けられ、使用位置に姿勢切り替えできるように、図１下方左側の正面図において、反時計方向の付勢力が与えられている。バネ４は、正面図右側の断面図（Ａ−Ａ断面）における中心線に対して内側の端部（図中右側）でカメラ本体３と当接し、もう一方の端部（中心線に対して外側）においてストロボ装置１と当接している。
【００１３】
５は、係止部材としての係止レバーであり、不図示のバネにより引き込み方向（図中、時計回り方向）に回動付勢されている。この係止レバー５によりストロボ装置１とカメラ本体３の係止機構近傍での隙間がない状態でストロボを収納することが出来る。
【００１４】
図１正面図のＡ−Ａ断面図を用いて、本発明の係止機構の構成について説明する。
【００１５】
図示したストロボ装置では、バネ４により、断面図中の上向き矢印の位置で常に突出方向に力が付勢されている。一方、係止レバー５は、ストロボ装置１を、断面図中の下向き矢印の位置で常に突出方向と反対方向（収納状態を維持する方向）に付勢している。ストロボ装置１の収納状態では、下向きの力が上向きの力に対して強くなるよう設定することにより、調整機構を用いずに係止機構近傍での隙間をなくしている。しかし、ストロボ装置移動機構においては、それぞれの部品寸法公差や、剛性が十分でないために、係止機構から離れた位置では、係止レバー５による引き込み力が十分に働かず、隙間が生じやすい。そこで本発明では、ストロボ装置１がバネ４に付勢されている水平方向での位置（上向き矢印位置）が、中心に対して、係止レバー５によって引き込まれている位置（下向き矢印位置）の外側に配置することにより、係止機構と逆側（断面図中右側）の隙間が小さくすることを可能としている。この理由について以下に、説明する。
【００１６】
図１のＡ−Ａ断面図で示すように、ストロボ装置１が、バネ４により付勢されている位置より係止レバー５の引き込み位置が内側にある場合、係止機構から離れた位置（断面図中右側）では、係止レバー５による下側の力がバネ４の力に対して支配的であるため、寸法公差によるガタや剛性不足による撓みは、カメラ本体３側に押さえつけられる。一方で、図２に示すように、ストロボ装置１がバネ４に付勢されている水平方向での位置（上向き矢印位置）が、中心に対して、係止レバー５によって引き込まれている位置（下向き矢印位置）より内側にある場合、係止機構から離れた位置（断面図中右側）では、バネ４によるストロボ装置１を突出方向に付勢する力が支配的となるため、ガタや撓みにより隙間が大きくなりやすい。尚、図１のＡ−Ａ断面図に示すように、ストロボ装置１を前面から見て、バネ４の付勢位置と前記係止レバー５は略重なり合うように隣接した位置にある。
【００１７】
以上の理由より、係止レバー５による引き込み位置をバネ４の付勢位置より内側に配置することにより係止機構から離れた位置においても隙間を小さく管理することが出来る。
【図面の簡単な説明】
【００１８】
【図１】本発明の実施形態であるカメラのストロボを示す図（側面図、上面図、断面図）
【図２】引き込み位置が本発明と異なる場合のストロボの収納状態を示す図（断面図）
【符号の説明】
【００１９】
１  ストロボ装置
２  軸部
３  カメラ本体
４  付勢部材（バネ）
５  係止部材（係止レバー）
【図１】
2006023646.tif 000003
【図２】
2006023646.tif 000004